(57)【要約】      （修正有）【課題】手あるいは腕を介して体を支えるための支持台および補強材からなるフレームと複数個の車輪を有し、弾性体からなり後方に肘止め部をもった肘固定台を支持台に設置し、また高さ調整機能を持った、軽量かつ操作性の優れた歩行補助器を提供する。【解決手段】略Ｕ字形状の上部支持台１に垂直方向補強材３、４が溶接され、垂直方向補強材３にはピンが差し込める複数の穴が開いている。また上部支持台１には肘掛け１８を取り付ける穴を開けている。また垂直方向補強材３，４に排便が容易な姿勢をとるための握り棒が溶接されている。車輪取付金具１９，２０，２１にはそれぞれ車輪９，１０，１１が取り付けられる。車輪９および１１は進行方向が自在となる車輪であり、車輪１０は進行方向が固定された車輪を取り付けている。車輪９，１０の直径は障害物を乗り越えるため大きいほうが望ましい。【選択図】図１
0003124735.tif 000002
【実用新案登録請求の範囲】
【請求項１】
歩行補助を目的とした歩行補助器であって、手あるいは腕を介して体を支えるための支持台およびこの支持台を支える垂直方向の補強材およびさらに前記補強材を固定する水平方向の下部補強材からなるフレームと複数個の車輪を有し、弾性体からなり後方に肘止め部をもったU字型の肘固定台を有する歩行補助器。
【請求項２】
請求項1記載の歩行補助器において、半円形もしくは半円端部よりその接線方向に適当な長さで伸ばした形状もしくは略U字形状の支持台および下部補強材を有する歩行補助器。
【請求項３】
請求項1記載の歩行補助器において、排便の際、体を前に倒す姿勢が望ましく、その体を支えるために上記支持台と下部補強材の間に水平方向の握り棒を設置した歩行補助器。
【請求項４】
請求項1記載の歩行補助器において、垂直方向の補強材が上下に2分割され、片方のパイプがもう一方のパイプに挿しこめられ、各々のパイプに開けられた穴にピンを差し込むことにより、高さ調整を可能とした歩行補助機。
【請求項５】
請求項1記載の歩行補助器において、車輪を前後に周動可能とした歩行補助器
【請求項６】
。請求項１記載の歩行補助器において、下部補強材に上記支持台前進方向の先端より前に２個の進行方向が自在となる車輪を有し、中央部の両端にそれぞれ1個の進行方向が固定された車輪を有し、また前進方向の最後尾の両端にそれぞれ1個の進行方向が自在となる車輪を有する歩行補助器。
【請求項７】
請求項６記載の歩行補助器において、最先端あるいは最後尾の車輪が浮くように中央部の車輪の高さ方向位置を調整した歩行補助器。
【考案の詳細な説明】
【技術分野】
【０００１】
本発明は、歩行機能に問題がある方々の歩行を補助する歩行補助器に関し、自力で歩行することが困難な人で、かつ、手あるいは腕で体重を支えることが困難な人でも使用することができる、コンパクトで、安定性・操作性に優れた歩行補助器に関する。
【背景技術】
【０００２】
日本はますます高齢化社会を迎え、お体の不自由なお年寄りもますます増加の一途をたどりつつある。このような状況の中で、高齢者が自立して自宅で快適な生活をおくる事を補佐する介護福祉機器等の開発は、重要な課題である。介護福祉機器のうち歩行補助器は、従来より、歩行機能に問題がある方々の歩行を補助する機器として開発されてきた。
（特開２００４−２２２８７９号広報、特開２００４−１０５３９６号広報、特開２００２−１２６０２３号広報、特開２０００−２３３００２号広報など参照）
【０００３】
この歩行補助器はパイプなどに曲げ加工、溶接加工などを施し、補強材が結合された上部および下部フレームを有し、上部フレームには体を支えるためにつかまることができる手すりが形成され、下部フレームにはキャスターが取り付けられ、フレームの中央部に入り込んだ歩行者とともに走行可能としたものである。
【考案の開示】
【考案が解決しようとする課題】
【０００４】
以上に述べた従来の歩行補助器はヨーロッパ等の海外から技術、サンプルが導入されたものが多く、日本人の体格、日本の住環境にあったものではない。すなわち大きくて、重くまた方向転換、回転等の操作性において問題があった。また自力で歩行することが困難な人で、かつ、手あるいは腕で体重を支えることが困難な人は支持台をつかんで歩行することが困難であった。また支持台に肘を乗せる肘掛が設置された歩行補助器もあるが肘の安定が悪く、歩行補助器を使用することができなかった。
【０００５】
特開２００４−２２２８７９号広報に記載された歩行器は上記問題点を指摘し、改善を加えた。しかしながら5輪のキャスターでは斜め前方方向に転びやすく安全性に問題があった。また上部フレームと下部フレームの間に大きい空間があり、歩行者が転んだときこの空間に倒れこむ危険性があった。
【０００６】
またくぼみを有した肘掛を設置する実施の形態が紹介されているが、進行方向に対して垂直方向に肘がすべる可能性があり、転倒の原因となる。またくぼみが浅く前後にすべる可能性があった。
【０００７】
特開２００２−１２６０２３号広報に記載された歩行器も上記問題点を指摘し、改善を加えた。しかしながら幅方向はコンパクトに調整可能だが、上部および下部フレームが馬蹄形であるがために回転半径が大きい。
【０００８】
また上部フレームの上に馬蹄形のクッションを設置する実施の形態が紹介されているが、進行方向に対して垂直方向におよび前後に肘がすべる可能性があり、転倒の原因となる。
【０００９】
以上述べた問題を解決するための歩行補助器の開発が必要とされ、本考案はこれを満足する歩行補助器を提供する。
【課題を解決するための手段】
【００１０】
このため請求項1に係る考案の歩行器は、歩行補助を目的とした歩行補助器であって、手あるいは腕を介して体を支えるための支持台およびこの支持台を支える垂直方向の補強材およびさらに前記補強材を固定する水平方向の下部補強材からなるフレームと複数個の車輪を有し、弾性体からなり後方に肘止め部をもったU字型の肘固定台を有することを特徴とする。
【００１１】
請求項２に係る考案の歩行器は、半円形もしくは半円端部よりその接線方向に適当な長さで伸ばした形状もしくは略U字形状の支持台および下部補強材を有することを特徴とする。
【００１２】
請求項３に係る考案の歩行器は、排便の際、体を前に倒す姿勢が望ましく、その体を支えるために上記支持台と下部補強材の間に水平方向の握り棒を設置したことを特徴とする。
【００１３】
請求項４に係る考案は、垂直方向の補強材が上下に2分割され、片方のパイプがもう一方のパイプに挿しこめられ、各々のパイプに開けられた穴にピンを差し込むことにより、高さ調整を可能としたことを特徴とする。
【００１４】
請求項５に係る考案は、車輪を前後に周動可能としたことを特徴とする。
【００１５】
請求項６に係る考案は、下部補強材に上記支持台前進方向の先端より前に２個の進行方向が自在となる車輪を有し、中央部の両端にそれぞれ1個の進行方向が固定された車輪を有し、また前進方向の最後尾の両端にそれぞれ1個の進行方向が自在となる車輪を有することを特徴とする。
【００１６】
請求項７に係る考案は、最先端あるいは最後尾の車輪が浮くように中央部の車輪の高さ方向位置を調整したことを特徴とする。
【考案の効果】
【００１７】
本考案の肘掛を使用することにより、歩行機能に問題があり、自力で歩行することが困難な人で、かつ、手あるいは腕で体重を支えることが困難な人でも歩行補助器を使用することができ、自分の足で歩くことが可能となる。
【００１８】
また半円形もしくは半円端部よりその接線方向に適当な長さで伸ばした形状もしくは略U字形状の上部および下部支持台を使用することにより、また水平方向の下部補強材に上記支持台前進方向の先端より前に２個の進行方向が自在となる車輪を有することにより、さらに中央部の両端にそれぞれ1個の進行方向が固定された車輪を有し、また前進方向の最後尾の両端にそれぞれ1個の進行方向が自在となる車輪を有することにより、コンパクトで、安定性・操作性に優れた歩行補助器を提供する。
【００１９】
さらに本歩行補助器を使用してトイレに行き、便座に座った後、排便が容易な姿勢をとるための握り棒を設置している。
【００２０】
また高さ調節機能により、身長・歩行姿勢等々にあわせて使用することができる。さらに最先端あるいは最後尾の車輪が浮くように中央部の車輪の高さ方向位置を調整することにより段差に乗り越えが容易になる。
【考案を実施するための最良の形態】
【００２１】
以下本考案をさらに詳細に説明する。図1は本考案の歩行補助器の１例を側面から見て示している。図２は上面から見て示している。図３は前面から見て示している。
【００２２】
半円端部よりその接線方向に適当な長さで伸ばした、もしくは略U字形状の上部支持台1に垂直方向補強材３、４、５が溶接され、垂直方向補強材３にはピン２３が差し込める複数の穴１４が開いている。また上部支持台１には肘掛１８を取り付ける穴１６を開けている。また垂直方向補強材３、４、５に排便が容易な姿勢をとるための握り棒１２，１３が溶接されている。
【００２３】
半円端部よりその接線方向に適当な長さで伸ばした、もしくは略U字形状の下部支持台２に垂直方向補強材６、７、８が溶接され、垂直方向補強材６にはピン２３が差し込める複数の穴１５があいている。また下部支持台２に車輪取付金具１９，２０，２１が溶接されている。
【００２４】
垂直方向補強材６、７、８は垂直方向補強材３、４、５に挿しこめられ、歩行器を使用するに適切な高さで、それぞれの穴の位置が一致したとき、ピン２３を挿入して高さを調整する。
【００２５】
車輪取付金具１９，２０，２１にはそれぞれ車輪９，１０，１１が取り付けられる。車輪９および１１は進行方向が自在となる車輪であり、車輪１０は進行方向が固定された車輪を取り付けている。車輪９，１０の直径は障害物を乗り越えるため大きいほうが望ましく、この例では直径１５０mmの車輪を使用している。一方車輪１１は歩行者の足に接触しないように７５mm程度の車輪を使用している。また車輪の位置は車輪10の設置点を車輪９，１０のそれに比較して５から１０mm下げている。
【００２６】
前方方向の安定性を確保するため、車輪９は上部支持台前進方向の先端より前に設置され、後方方向の安定性を確保するため、車輪１１は上部支持台前進方向の後端より後ろに設置されている。また横方向の安定性を確保するため、車輪１０は上部支持台前進方向横の両端より外側に設置されている。
【００２７】
肘掛１８は固定金具１７を介して開口部を前方方向に固定されている。肘掛１８は全体重をかけられるよう柔らかい弾性体で作られ後方および側方が高くなり、ひじを包み込むような形状をしている。これにより肘が後方あるいは両側にずれることなく安心して体重を掛けることができる。
【００２８】
ピン２３ははずれ防止用マジックテープ(登録商標)２２を取り付けた高さ調整用ピンである。
【図面の簡単な説明】
【００２９】
【図１】歩行補助器側面図
【図２】歩行補助器上面図
【図３】歩行補助器前面図
【図４】肘掛側面図
【図５】肘掛上面図
【図６】肘掛正面図
【図７】ピン概念図
【符号の説明】
【００３０】
１  上部支持台  、２  下部支持台  、    ３，４，５，６，７，８  垂直方向補強材  、  ９，１０，１１  車輪  、  １２，１３  握り棒  、  １４，１５  ピン穴  、  １６  肘掛固定穴  、  １７  肘掛固定金具  、  １８  肘掛  、  １９，２０，２１  車輪取付金具  、２２  はずれ防止用マジックテープ(登録商標)、２３ピン
【図１】
0003124735.tif 000003
【図２】
0003124735.tif 000004
【図３】
0003124735.tif 000005
【図４】
0003124735.tif 000006
【図５】
0003124735.tif 000007
【図６】
0003124735.tif 000008
【図７】
0003124735.tif 000009